【事件の表示】
　特願２００８−　７７４７５「通信装置」拒絶査定不服審判事件〔平成２０年　８月　７日出願公開、特開２００８−１８２７６１〕について、次のとおり審決する。
【結　論】
　本件審判の請求は、成り立たない。
【理　由】
第１．手続の経緯・本願発明
　
　本願は、特願２００３−３４２６５０号の一部を平成２０年３月２５日に新たな特許出願としたものであって、平成２２年２月２５日付けで拒絶の査定がされたところ、同年６月２日付けで審判の請求がなされ、これに対し当審において平成２４年１月１１日付けで拒絶理由通知がなされ、同年３月１９日付けで手続補正がなされたものである。
　
　本願の請求項１に係る発明（以下、「本願発明」という。）は、平成２４年３月１９日付け手続補正書により補正された、明細書、特許請求の範囲及び図面の記載からみて、特許請求の範囲、請求項１に記載された以下のとおりのものであると認める。
　
「無線通信を行う通信装置であって、
　待受画面を少なくとも表示する表示手段と、
　アプリケーションに対応するアイコンを前記待受画面に重畳して表示するように制御する制御手段と、を備え、
　前記制御手段は、前記アイコンに対応するテキストを表示したり、非表示にしたりすることを可能にした
　ことを特徴とする通信装置。」 
　
　第２．引用発明
　
　当審における平成２４年１月１１日付け拒絶理由通知書に引用された、「取扱説明書　ムーバ　Ｎ５０４ｉＳ、日本、2003.03.発行、第４版」（以下、「引用例」という。）には、図面とともに以下の事項が記載されている。（当審注：以下の『』を用いた記載は、『』内に記載した機能を有するボタンの図が記載されていることを示す。） 
　
イ．「デスクトップ貼付
デスクトップアイコンを貼り付ける
待受画面には、デスクトップアイコンとしてメールアドレス、ＵＲＬ、電話番号、オリジナル着信音、イメージ、ｉアプリ、カメラ機能、ピクチャメモ、アクセスリーダー、オリジナルメニュー、ＴｏＤｏリストを８件まで貼り付けることができます。デスクトップアイコンから新規メール画面を表示したり、電話をかけるなど、簡単な操作でそれぞれの機能を呼び出すことができます。」
（１９４頁１−７行）
　 
ロ．「＜例：電話帳から貼り付けるとき＞
１　貼り付けたい電話番号を表示する
　電話帳の検索のしかた→Ｐ．８２
　同じ電話帳に複数の電話番号が登録されている場合
　『左・右』を押して貼り付けたい電話番号を表示する
　メールアドレスを貼り付ける場合
　『左・右』を押して貼り付けたいメールアドレスを表示する
　
２　『メニュー』を押して『６』（デスクトップ貼付）を押す
　
３　「ＹＥＳ」を選んで『決定』を押す
　貼り付けしない場合
　「ＮＯ」を選んで『決定』を押す
　操作が終わった後『終了』を押すと待受画面に戻ります。
　
おしらせ
●デスクトップアイコンのタイトルは、電話帳に登録されている名前またはフリガナが登録されます。名前およびフリガナがないときは電話番号またはメールアドレスを表示します。」
（１９４頁１５行−１９５頁３行）
 　
ハ．「その他の機能を貼り付けるとき
●着信履歴、リダイヤルから電話番号を貼り付ける場合
着信履歴またはリダイヤルの一覧画面で貼り付けたい相手を選び（または詳細画面を表示して）、『メニュー』を押して『３』（デスクトップ貼付）を押します。
電話番号が非通知の着信履歴は貼り付けできません。
着信履歴、リダイヤルに名前が表示されていない場合のタイトルは電話番号の表示になります。
●オリジナル着信音を貼り付ける場合
「オリジナル着信音」（Ｐ．１１２参照）の一覧画面で貼り付けたいメロディを選び、『メニュー』を押して『６』（デスクトップ貼付）を押します。
オリジナル着信音にタイトルがない場合は「メロディ」の表示になります。
●イメージを貼り付ける場合
「オリジナルイメージ」（Ｐ．１８６参照）を貼り付けるときは、一覧画面で貼り付けたいイメージを選んで『メニュー』を押し、『左・右』を押して『３』（デスクトップ貼付）を押します。
自作アニメは貼り付けできません。
オリジナルイメージにタイトルがない場合は「オリジナルイメージ」の表示になります。
「アルバム」（Ｐ．１４０参照）の画像を貼り付けるときは、一覧画面で貼り付けたいイメージを選んで『メニュー』を押し、『右ボタン』を押して『５』（デスクトップ貼付）を押します。
連続画像は貼り付けできません。
●ＴｏＤｏリストを貼り付ける場合
『メニュー』『９』『５』を押してＴｏＤｏリストを表示させ、『メニュー』を押して『６』（デスクトップ貼付）を押します。
タイトルは「ＴｏＤｏリスト」の表示になります。
●オリジナルメニューを貼り付ける場合
『メニュー』『５』『２』を押してオリジナルメニュー登録画面を表示させ、『メニュー』を押して『２』（デスクトップ貼付）を押します。
タイトルは「オリジナルメニュー」の表示になります。
●メールアドレスを貼り付ける場合
受信メールの送信元を貼り付けるときは、貼り付けたい受信メールを表示させ、『メニュー』を押して『７』（送信元デスク貼付）を押します。
送信メールの宛先を貼り付けるとぎは、貼り付けたい送信メールを表示させ、『メニュー』を押して『４』（宛先デスクトップ貼付）を押します。
アドレス一覧のメールアドレスを貼り付けるときは、貼り付けたい送信アドレス一覧または受信アドレスー覧を表示させ、『メニュー』を押して『２』（デスクトップ貼付）を押します。
アドレス一覧に名前が表示されていない場合、および送受信メールから貼り付けた場合のタイトルは、メールアドレスの先頭から１８文字までが表示されます。
●ＵＲＬを貼り付ける場合
貼り付けできるＵＲＬの文字数は２５６文字までです。
表示中のページを貼り付けるときは、貼り付けたいページを表示して『メニュー』を押し、『右』を押して『２』（デスクトップ貼付）を押します。
ブックマークのＵＲＬを貼り付けるときは、Ｂｏｏｋｍａｒｋ画面で貼り付けたいタイトルを選んで『メニュー』を押して『３』（デスクトップ貼付）を押します。
ＵＲＬ履歴のＵＲＬを貼り付けるときは、ＵＲＬ履歴画面で貼り付けたいＵＲＬを選んで『メニュー』を押して『７』（デスタトップ貼付）を押します。
画像やメロディが保存されているサイトのＵＲＬを貼り付けても、デスクトップアイコンからそのサイトを表示できない場合があります。
タイトルは、ページタイトルの全角文字で１６文字、半角文字で３２文字までが登録されます。タイトルがないページのときは「ｈｔｔｐ：／／」または「ｈｔｔｐｓ：／／」を除いたＵＲＬの１８文字までが表示されます。
●ｉアプリを貼り付ける場合
ソフト一覧画面で貼り付けたいｉアプリを選んで『メニュー』を押し、『左・右』を押して『２』（デスクトップ貼付）を押します。（内蔵ｉアプリは貼り付けできません。）
●カメラを貼り付ける場合
カメラモード（Ｐ．１２８参照）にして『メニュー』を押し、『左・右』を押して『２』（デスクトップ貼付）を押します。
タイトルは「カメラ」の表示になります。撮影した画像を確認しているときは貼り付けできません。
●アクセスリーダーの機能を貼り付ける場合
アクセスリーダーの一覧画面で『メニュー』を押し、『左・右』を押して『１』（デスクトップ貼付）を押します。
タイトルは「アクセスリーダー」の表示になります。文字を読み取る状態のときは貼り付けできません。」
（１９５頁８行−１９６頁２６行）
　
ニ．「デスクトップアイコンを操作する
１　待受画面で『決定』を岬す
デスクトップアイコンが選べるようになります。
「伝言メモあり」などのアイコンが表示されていないときは、前回最後に使ったデスクトップアイコンが選ばれます。
元の状態に戻す場合
『終了』または『戻る（クリア）』を押す
　
アイコンを選ぶとそのアイコンのタイトルが表示されます。
　
２　『左・右』でデスクトップアイコンを選ぶ
デスクトップアイコンが５件以上貼り付けられているときは、画面の左右に「（矢印）」が表示されます。『左・右』を押してデスクトップアイコンをスクロールさせて選ぶことができます。
「伝言メモあり」などのアイコンが表示ざれているときは、『上・下』を押してデスクトップアイコンの並びを選んだ後、『左・右』を押して選びます。
待受画面にカレンダーを貼り付けているときは、力レンターも選ぶことができます。
カレンダーの操作について→Ｐ．１７２
　
３　『決定』を押す
　：メールアドレスのアイコンを選んだ場合
　そのメールアドレスが宛先に入力された新規メール作成画面が表示されます。（Ｐ．３１５参照）
　：ＵＲＬのアイコンを選んだ場合
　そのＵＲＬのサイトに接続してページを表示します。（Ｐ．２６０参照）
　：電話番号のアイコンを選んだ場合
　その電話番号をダイヤル入力した画面が表示されます。『開始』を押して電話をかけることができます。（Ｐ．３１参照）
　：オリジナル着信音のアイコンを選んだ場合
　メロディプレーヤーでそのメロディを再生します。（Ｐ．４７３参照）
　：イメージのアイコンを選んだ場合
　マイピクチャでそのイメージを表示します。（Ｐ．４７７参照）
　：ｉアプリのアイコンを選んだ場合
　そのｉアプリを起動します。（Ｐ．４０５参照）
　：オリジナルメニューのアイコンを選んだ場合
　オリジナルメニューを表示します。（Ｐ．４９４、５６６参照）
　：ＴｏＤｏリストのアイコンを選んだ場合
　ＴｏＤｏリストの画面を表示します。（Ｐ．２３６参照）
　：カメラのアイコンを選んだ場合
　カメラ機能が起動してカメラモードになります。デスクトップアイコンからカメラ機能を起動したときは、常に静止画像の撮影モードになります。（Ｐ．１３０参照）
　：ピクチャメモのアイコンを選んだ場合
　最後に撮影したピクチャメモを表示します。（ｐ．１４０参照）
　：アクセスリーダーのアイコンを選んだ場合
　アクセスリーダーの画面を表示します。（ｐ．１６３参照）」
（１９６頁２７−１９７頁３５行）
（当審注：「（矢印）」は、左右に向いた二つの三角形からなる図が記載されている。また、「　：　」の前にはアイコンに対応する図が記載されている。）
　
　ここで、上記イ．〜ニ．の記載、関連図面ならびにこの分野における技術常識を考慮すると、
　
　上記イ．には、「待受画面」とある。
　引用例は、携帯電話装置である、「ムーバ　Ｎ５０４ｉＳ」の取扱説明書であり、「携帯電話装置」に「待受画面を少なくとも表示する表示手段」を備えることを示している。
　
　上記イ．には、「デスクトップアイコン」として、メールアドレス、ＵＲＬ、電話番号、オリジナル着信音、イメージ、ｉアプリ、カメラ機能、ピクチャメモ、アクセスリーダー、オリジナルメニュー、ＴｏＤｏリスト、を「待受画面に貼り付ける」ことについて示されている。
　
　上記ハ．には、「その他の機能を貼り付けるとき」として、電話番号、オリジナル着信音、イメージ、ＴｏＤｏリスト、オリジナルメニュー、メールアドレス、ＵＲＬ、ｉアプリ、カメラ、アクセスリーダー、の各機能をデスクトップアイコンとして貼り付けることが示されている。
　また、上記ニ．には、メールアドレス、ＵＲＬ、電話番号、オリジナル着信音、イメージ、ｉアプリ、オリジナルメニュー、ＴｏＤｏリスト、カメラ、ピクチャメモ、アクセスリーダー、のデスクトップアイコンを選択し、『決定』を押すことにより、それぞれに対応した機能の動作を行うことが示されている。
　したがって、デスクトップアイコンは、「機能に対応する」ものといえる。
　
　上記ロ．には、電話番号のデスクトップアイコンの「タイトル」に、名前、フリガナ、電話番号、メールアドレスが用いられることが示されている。また、上記ハ．には、オリジナル着信音、イメージ、ＴｏＤｏリスト、オリジナルメニュー、メールアドレス、ＵＲＬ、カメラ、アクセスリーダー、の各デスクトップアイコンに「タイトル」が表示されることについて示されており、上記「タイトル」は、「デスクトップアイコンに対応するタイトル」であるといえる。
　
　また、上記ニ．には、１９６頁の図面と共に、「アイコンを選ぶとそのアイコンのタイトルが表示されます。」とあり、デスクトップアイコンの選択により、「対応するタイトルを表示」することが「可能」とされていることが記載されている。
　
　したがって、上記引用例には以下の発明（以下、「引用発明」という。）が記載されている。 
　
「待受画面を少なくとも表示する手段と、
　機能に対応するデスクトップアイコンを、待受画面に貼り付けて表示する手段と、を備え
　選択された前記デスクトップアイコンに対応するタイトルを表示することを可能にした携帯電話装置。」
　
第３．対比・判断
　
（１）対比 
　
　本願発明と引用発明とを対比する。
　
　引用発明の「携帯電話装置」は、明らかに、本願発明の「無線通信を行う通信装置」に相当する。
　
　引用発明の「デスクトップアイコン」は、待受画面に表示されるアイコンであり、本願発明の「アイコン」に相当する。
　
　引用発明の「機能」は、上記ハ．に「ｉアプリ」が示されるように、アプリケーションを含むことは明らかである。また、「ｉアプリ」以外の「機能」についても、アプリケーションとして構成することは一般的なことであり、引用発明の「機能」は、本願発明の「アプリケーション」に相当する。
　
　引用発明の「デスクトップアイコンを、待受画面に貼り付けて表示する手段」は、待受画面の表示にアイコンの表示を貼り付けるものであるから、待受画面にアイコンを重畳して表示する制御手段といえ、本願発明の、「アイコンを前記待受画面に重畳して表示するように制御する制御手段」に相当する。
　
　引用発明の「タイトル」は、上記ロ．や上記ハ．に記載されるように、各種の「文字データ」によって構成されるものであり、本願発明の「テキスト」に相当する。
　
　引用発明の「選択された前記デスクトップアイコンに対応するタイトルを表示することを可能にした」は、デスクトップアイコンの選択を解除することにより、「非表示」にすることも「可能」なものであるから、本願発明の「前記アイコンに対応するテキストを表示したり、非表示にしたりすることを可能にした」に相当する。
　
　よって、本願発明と引用発明は、以下の点で一致ないし相違している。
　
（一致点）
　
「無線通信を行う通信装置であって、
　待受画面を少なくとも表示する表示手段と、
　アプリケーションに対応するアイコンを前記待受画面に重畳して表示するように制御する制御手段と、を備え、
　前記アイコンに対応するテキストを表示したり、非表示にしたりすることを可能にした通信装置。」
　
（相違点）
　
　「制御手段」に関し、本願発明は、アイコンを待受画面に重畳して表示するように制御する「制御手段」が、アイコンに対応するテキストの表示、非表示の制御をも行うのに対し、引用発明には、「制御手段」の構成が明示されていない点。
　
（２）当審の判断
　
　相違点について検討する。
　
　アプリケーションに対応するアイコンを待受画面に重畳して表示するという「第１の」制御と、前記アイコンに対応するテキストを表示したり、非表示にしたりすることを可能にするという「第２の」制御とは、待受画面に表示されるアイコンに関連する制御であるから、一つの表示手段に対する表示の制御であるといえる。
　一つの表示手段に対する表示の制御を、一つの制御手段によって行うことはごく一般的なことであり、何ら格別のものではない。
　
　そして、本願発明に関する作用・効果も引用発明から当業者が予測できる範囲のものである。 
　
第４．結語
　
　以上のとおり、本願発明は、引用発明に基づいて、当業者が容易に発明をすることができたものであるから、特許法第２９条第２項の規定により特許を受けることができない。 
　 
　よって、結論のとおり審決する。